(57)【要約】      （修正有）【課題】蹴込板を容易に取り付けることができると共に、雨水の溜まりを抑制して安全性を高めることができ、且つ優れた遮音性を発揮する階段板を提供する。【解決手段】鋼板製の芯材１０をゴム製の表面材２０で覆って形成され、踏板部２の一方の長辺から下方に延設される前突縁部３と、他方の長辺から上方に延設される後突縁部４と、前突縁部の下端面３ａに形成されて長辺方向に延在する第１の溝部２１と、後突縁部の上端面４ａに形成されて長辺方向に延在する第２の溝部２２と、を有する。これにより、蹴込板を第１の溝部及び第２の溝部に挿入して容易に取り付けることができる。また、踏板部の上面２ａに、短辺方向に延在する傾斜溝２３を形成することにより、上面に雨水が溜まることを抑制できる。また、踏板部の下面２ｂに、下方に膨らむ膨出部２４を形成することにより、騒音の発生を抑えることができる。【選択図】図４
0003195936.tif 000002
【実用新案登録請求の範囲】
【請求項１】
鋼板製の芯材の表面をゴムから成る表面材で覆って形成される階段板であって、
矩形板状の踏板部と、
前記踏板部の一方の長辺から連続して下方に延設される前突縁部と、
前記踏板部の他方の長辺から連続して上方に延設される後突縁部と、
前記前突縁部の下端面に形成されて前記踏板部の長辺方向に延在する第１の溝部と、
前記後突縁部の上端面に形成されて前記踏板部の長辺方向に延在する第２の溝部と、を有することを特徴とする階段板。
【請求項２】
前記踏板部の上面には、前記踏板部の短辺方向に延在して前記前突縁部側が低くなるよう傾斜する底面を有する傾斜溝が形成されることを特徴とする請求項１に記載の階段板。
【請求項３】
前記踏板部の下面の中央部には、前記表面材が厚肉に形成されて下方に膨らむ膨出部を有することを特徴とする請求項１または請求項２に記載の階段板。
【考案の詳細な説明】
【技術分野】
【０００１】
本考案は、階段板に関し、特に、鋼板製の芯材をゴムから成る表面材で覆って形成される階段板に関する。
【背景技術】
【０００２】
従来、主に集合住宅の外部階段や非常用階段等として、鋼製の桁材（ささら桁）に鋼板製の階段板（踏板）を取り付けたものがある。この種の階段に用いられる階段板として、鋼板製の芯材をゴムや合成樹脂で覆ったものが知られている。
【０００３】
例えば、特許文献１には、鋼板から成る段板の上下面全体にゴム板を加硫接着した防音階段が開示されている。このように、鋼板製の段板にゴム板を接着することにより防音効果が得られ、段板の全周をゴム板で被覆することにより錆の発生を防止できる。また、同文献に記載された段板は、下面のゴム板の表面部に格子状の突起リブが形成されている。この突起リブにより、加硫接着でゴム板が収縮することによって発生する応力を吸収して、ゴム板表面の亀裂や劣化を防止できるとしている。
【０００４】
また、例えば、特許文献２には、補強用芯材としての鉄板を合成樹脂またはゴムから成る表面材中に埋設、固定して形成される階段の踏板が開示されている。同文献の補強用芯材としての鉄板には、複数の孔が穿設されている。この孔内に表面材の構成材料が充填され、表面材と鉄板とが強固に一体化される。
【先行技術文献】
【特許文献】
【０００５】
【特許文献１】実用新案登録第２５２２４２８号公報（第２頁、第２図）
【特許文献２】実公平０７−４２５５号公報（第２頁、第１図）
【考案の概要】
【考案が解決しようとする課題】
【０００６】
この種の階段板を用いた外部階段等では、桁材に階段板のみを取り付け、上下段の階段板の間が開放される構造のものが多い。しかし、上下段の階段板の間から物が落下することを防止する或いは階段板の間に人体の一部が挟まれることを防止する等の安全上の観点、並びに外観意匠的な観点から、上下段の階段板の間の開口を塞ぐための蹴込板（上下段の階段板の間に略垂直に設置される板）を設けることがある。
【０００７】
しかしながら、上記した従来技術の階段板では、上下段に配設される階段板の間に蹴込板を取り付ける場合、蹴込板の組み付け及び固定が困難であるという問題点があった。
具体的には、従来技術の階段板には、蹴込板を取り付けるための構造が設けられていなかった。そのため、蹴込板を取り付ける場合には、階段板を取り付けるためのボルトを利用して蹴込板を固定するか、階段板の表面を覆うゴム製の表面材に蹴込板を接着して固定するかの何れかの方法を採用していた。
【０００８】
また、蹴込板を固定するために、階段板にボルト取付孔等を穿設することも考えられる。しかし、ボルト取付孔等を後から加工すると、そのボルト取付孔等を起点として表面材が剥離する恐れがあり、鋼製の芯材とゴム製の表面材との間に水分が浸入して芯材の劣化を招く要因となるので好ましくない。また、ボルト取付孔の加工やボルト締結の作業も煩雑である。
【０００９】
また、この種の階段板は、前述のとおり、屋外に設置されることも多いので、雨水等によって階段板の上面に水が溜まると滑り易くなるという問題点があった。
【００１０】
また、前述のとおり、鋼板製の芯材にゴム製の表面材を接着することによって防音効果が得られる。しかしながら、上記した従来技術は、防音効果を更に高める観点から改善の余地があった。
【００１１】
本考案は、上記の事情に鑑みてなされたものであり、その目的とするところは、蹴込板を容易に取り付けることができると共に、雨水の溜まりを抑制して安全性を高めることができ、且つ優れた遮音性を発揮する階段板を提供することにある。
【課題を解決するための手段】
【００１２】
本考案の階段板は、鋼板製の芯材の表面をゴムから成る表面材で覆って形成される階段板であって、矩形板状の踏板部と、前記踏板部の一方の長辺から連続して下方に延設される前突縁部と、前記踏板部の他方の長辺から連続して上方に延設される後突縁部と、前記前突縁部の下端面に形成されて前記踏板部の長辺方向に延在する第１の溝部と、前記後突縁部の上端面に形成されて前記踏板部の長辺方向に延在する第２の溝部と、を有することを特徴とする。
【考案の効果】
【００１３】
本考案の階段板によれば、踏板部の一方の長辺から連続して下方に延設される前突縁部の下端面には、踏板部の長辺方向に延在する第１の溝部が形成され、踏板部の他方の長辺から連続して上方に延設される後突縁部の上端面には、踏板部の長辺方向に延在する第２の溝部が形成される。これにより、蹴込板を容易に取り付けることができる。
【００１４】
具体的には、蹴込板の下端部を、下段に配設される階段板の第２の溝部に挿入し、蹴込板の上端部を、上段に配設される階段板の第１の溝部に挿入する。これにより、第１の溝部及び第２の溝部をガイドとして蹴込板を階段板に容易に組み付けることができる。また、階段板の第１の溝部及び第２の溝部で蹴込板の上下端部を挟持して、蹴込板を強固に固定することができる。
【００１５】
また、踏板部の上面に、踏板部の短辺方向に延在して前突縁部側が低くなるよう傾斜する底面を有する傾斜溝を形成しても良い。これにより、傾斜溝を介して雨水を下方に流すことができるので、階段板の上面に雨水が溜まることを抑制できる。その結果、雨水による滑りを抑え、安全性を高めることができる。
【００１６】
また更に、踏板部の下面の中央部近傍の表面材を厚肉にして、下方に膨らむ膨出部を形成しても良い。これにより、鋼板製の芯材の振動を抑え、騒音の発生を抑えることができる。また、ゴムから成る表面材を加硫接着する際、表面材が収縮することによって発生する応力を膨出部で吸収し、表面材に亀裂が発生することを抑えることができる。
【図面の簡単な説明】
【００１７】
【図１】本考案の実施形態に係る階段板の平面図である。
【図２】本考案の実施形態に係る階段板の斜視図である。
【図３】本考案の実施形態に係る階段板の図２に示すＣ部拡大図である。
【図４】本考案の実施形態に係る階段板の横断面図（図１に示すＡ−Ａ線断面図）である。
【図５】本考案の実施形態に係る階段板の縦断面図（図１に示すＢ−Ｂ線断面図）である。
【図６】本考案の実施形態に係る階段板に蹴込板を取り付けた状態を示す斜視図である。
【考案を実施するための形態】
【００１８】
以下、本考案の実施形態に係る階段板を図面に基づき詳細に説明する。
図１は、本考案の実施形態に係る階段板１の概略構造を示す平面図である。階段板１は、例えば、集合住宅の外部階段や非常用階段等に用いられて階段の踏板を構成するものであり、図１に示すように、略矩形板状の形態を成す踏板部２を有する。
【００１９】
階段板１の踏板部２の両短辺近傍は、例えば、型鋼等から構成される図示しない一対の桁材（ささら桁）に固定される。具体的には、踏板部２の両短辺近傍には、取付孔６が形成されており、その取付孔６に固定用ボルト（図示せず）が挿通されて、その固定用ボルトによって階段板１が桁材に固定される。
【００２０】
図２は、階段板１の概略構造を示す斜視図である。図２に示すように、階段板１は、踏板部２の一方の長辺から連続して下方に延設される前突縁部３と、踏板部２の他方の長辺から連続して上方に延設される後突縁部４と、を有する。階段板１が桁材に取り付けられた状態において、前突縁部３は、階段の下り方向に、後突縁部４は、階段の上り方向に向けられる。
【００２１】
踏板部２の上面２ａには、滑り止めとして、複数の凸部２５が形成される。なお、階段板１は、後述する芯材１０（図４参照）の外表面をゴムから成る表面材２０で覆うことにより構成されており、凸部２５は、表面材２０の厚みを増すことによって形成される。凸部２５の形状、配置及び個数は、特に限定されるものではなく、種々の形態を採用し得る。
【００２２】
また、踏板部２の上面２ａには、上方に開口して踏板部２の短辺方向に延在する複数の傾斜溝２３が形成されている。傾斜溝２３は、踏板部２の上面２ａに雨水が溜まることを抑制するために形成される排水用の溝である。
【００２３】
図３は、図２に鎖線円で示すＣ部の拡大図である。図３に示すように、傾斜溝２３は、横断面略コ字状で、前突縁部３に達するまで形成され、前突縁部３側に開口している。これにより、傾斜溝２３に流れ込んだ雨水は、前突縁部３側に排出される。
【００２４】
前突縁部３の下端面３ａ（図４参照）には、横断面略コ字状で下方に開口し、踏板部２の長辺方向に延在する溝部２１（第１の溝部）が形成される。また、後突縁部４の上端面４ａには、横断面略コ字状で上方に開口し、踏板部２の長辺方向に延在する溝部２２（第２の溝部）が形成される。溝部２１及び溝部２２は、階段板１に蹴込板３０（図６参照）を取り付けるための溝である。
【００２５】
図４は、階段板の概略構造を示す横断面図であり、図１に示すＡ−Ａ線断面を示している。図４に示すように、階段板１は、鋼板製の芯材１０と、芯材１０の表面を被覆するゴム製の表面材２０と、を有する。
【００２６】
芯材１０は、鋼板を曲折することによって成形され、略矩形板状の基部１２と、基部１２の一方の長辺から連続して下方に曲折形成される曲折縁部１３と、基部１２の他方の長辺から連続して上方に曲折形成される曲折縁部１４と、を有する。基部１２の対向する両長辺に曲折縁部１３、１４を形成することにより、芯材１０の剛性を高めることができる。即ち、曲折縁部１３は、前突縁部３近傍の強度部材となり、曲折縁部１４は、後突縁部４近傍の強度部材となる。
【００２７】
表面材２０は、例えば、加硫等の架橋反応によって成形されると共に芯材１０に接着され、芯材１０の全表面を覆う。詳しくは、芯材１０の表面には予め接着剤が塗布されており、その接着剤の架橋反応及び表面材２０の架橋反応によって、表面材２０と芯材１０とが接着剤を介して強固に接合される。このように表面材２０で芯材２０の全表面を被覆することにより、芯材１０が雨水に直接曝されることを防止して、芯材１０の腐食を抑制することができる。また、表面材２０によって、芯材１０と靴底との衝突が緩和されると共に、芯材１０の振動が抑えられる。これにより、騒音の発生を抑えることができる。
【００２８】
踏板部２の上面２ａに形成される排水用の傾斜溝２３は、前突縁部３側が低くなるよう傾斜する底面２３ａを有する。具体的には、傾斜溝２３の底面２３ａは、水平面に対して２〜３°程度の角度で傾斜している。これにより、傾斜溝２３に流れ込む雨水を効率的に流して前突縁部３側に排出することができる。その結果、踏板部２の上面２ａに雨水が溜まり滑り易くなることを抑制し、安全性を高めることができる。
【００２９】
踏板部２の下面２ｂには、表面材２０が厚肉に形成されて下方に膨らむ膨出部２４が形成される。具体的には、膨出部２４は、踏板部２の下面２ｂの短辺方向の略中央に形成され、階段板１の横断面において、曲率半径３０〜５０ｍｍに形成される。膨出部２４の突出高さは、特に限定されるものではない。しかしながら、意匠的な観点から、好ましくは、膨出部２４は、前突縁部３の下端面３ａよりも下方に突き出さない方が良い。
【００３０】
このように踏板部２の下面２ｂに膨出部２４を形成することにより、芯材１０の振動が抑えられ、騒音の発生を低減することができる。また、ゴム素材を架橋反応させて表面材２０を芯材１０に接着する際、表面材２０が収縮することによって発生する応力を膨出部２４で吸収することができる。これにより、表面材２０に亀裂が発生することを抑えることができる。
【００３１】
図５は、階段板１の縦断面図であり、図１に示すＢ−Ｂ線断面を示している。図５に示すように、膨出部２４は、踏板部２の長辺方向の略中央の下面２ｂに形成される。これにより、芯材１０の振動を効率的に減衰させることができる。なお、膨出部２４の底面視形状は、円形の他、踏板部２の長辺方向に長い楕円形や長穴形状であっても良い。
【００３２】
踏板部２の両短辺近傍の縁部５は、下方が厚肉になるよう形成されている。これにより、階段板１から図示しない桁材への振動や衝撃の伝達を抑制して、表面材２０による遮音性能を更に高めることができる。
【００３３】
図６は、階段板１に蹴込板３０を取り付けた状態を示す斜視図である。図６に示すように、蹴込板３０の下端部を、下段に配設される階段板１の溝部２２に挿入し、蹴込板３０の上端部を、上段に配設される階段板１の溝部２１に挿入する。これにより、下段の溝部２２及び上段の溝部２１をガイドとして蹴込板３０を階段板１に容易に組み付けることができる。また、階段板１の溝部２１、２２で蹴込板の上下端部を挟持して、蹴込板３０を強固に支持することができる。
【００３４】
なお、階段板１の前突縁部３及び後突縁部４に、溝部２１、２２を貫通する固定用の孔を予め形成しておき、蹴込板３０の上下端部を階段板１の溝部２１、２２に嵌め込んだ後、前記固定用の孔を利用して蹴込板３０をねじ等で固定しても良い。これにより、蹴込板３０を更に強固に固定することができる。
【００３５】
なお、本考案は、上記実施形態に限定されるものではない。例えば、芯材１０に、その上面から下面に貫通する複数の孔を形成しても良い。この孔を介して上面２ａ側の表面材２０と下面２ｂ側の表面材２０とを一体化させて、芯材１０と表面材２０との接合強度を高め、両者の剥離を抑制することができる。
【００３６】
また、鋼板製の芯材１０に凹凸形状等を曲折形成して、芯材１０の剛性を高めることもできる。その他、本考案の要旨を逸脱しない範囲で、種々の変更実施が可能である。
【符号の説明】
【００３７】
１      階段板
２      踏板部
２ａ    上面
２ｂ    下面
３      前突縁部
３ａ    下端面
４      後突縁部
４ａ    上端面
６      取付孔
１０    芯材
２０    表面材
２１    溝部
２２    溝部
２３    傾斜溝
２４    膨出部
２５    凸部
【図１】
0003195936.tif 000003
【図２】
0003195936.tif 000004
【図３】
0003195936.tif 000005
【図４】
0003195936.tif 000006
【図５】
0003195936.tif 000007
【図６】
0003195936.tif 000008